(57)【要約】【課題】特に、表示パネル部の状態に応じて、電源オン時の動作モードを、ユーザに最適な動作モードに設定する。【解決手段】  デジタルカメラ１では、表示パネル部２２が、本体部１１に対して開閉可能かつ回転可能である。デジタルカメラ１の状態検出部は、表示パネル部２２の開閉または回転のうちの少なくともいずれか一方の状態を検出し、モード設定部は、検出された表示パネル部２２の状態に応じて、電源オン時のデジタルカメラ１の動作モードを設定する。本発明は、例えば、デジタルカメラに適用することができる。【選択図】図３
2006080779.tif 000002
【特許請求の範囲】
【請求項１】
表示部が、本体部に対して開閉可能かつ回転可能である情報処理装置において、
前記表示部の開閉または回転のうち少なくともいずれか一方の状態を検出する検出手段と、
前記検出手段により検出された前記表示部の状態に応じて、電源オン時の前記情報処理装置の動作モードを設定するモード設定手段と
を備えることを特徴とする情報処理装置。
【請求項２】
前記モード設定手段は、前記表示部が表示面が外側になるように回転されて、前記本体部に対して閉じられた状態である場合、電源オン時の前記動作モードを、前記表示部に、所定の記録媒体から再生した画像である再生画像を表示する再生モードに設定する
ことを特徴とする請求項１に記載の情報処理装置。
【請求項３】
前記モード設定手段は、ユーザにより前記表示部の各状態に対応して設定された動作モードを表す設定値に基づいて、前記表示部の状態に応じて、電源オン時の前記動作モードを、前記表示部の状態に対応する設定値が表す動作モードに設定する
ことを特徴とする請求項１に記載の情報処理装置。
【請求項４】
前記検出手段により検出される前記表示部の状態と、前記情報処理装置の動作モードとに応じて、前記表示部が前記本体部に閉じられたときの電源のオンまたはオフを制御する電源制御手段
をさらに備える
ことを特徴とする請求項１に記載の情報処理装置。
【請求項５】
前記電源制御手段は、前記電源がオンにされており、前記表示部が表示面が外側になるように回転されて、前記本体部に対して開かれた状態から、閉じられた状態に変化した場合、前記動作モードが、前記表示部に、所定の記録媒体から再生した画像である再生画像を表示する再生モードであるとき、前記電源をオンのままにし、前記動作モードが画像を記録する撮影モードであるとき、前記電源がオフするように制御する
ことを特徴とする請求項４に記載の情報処理装置。
【請求項６】
前記電源制御手段は、ユーザにより前記表示部の各状態と各動作モードとに対応して設定された電源のオンまたはオフを表す設定値に基づいて、前記表示部の状態と前記動作モードとに応じて、前記表示部が前記本体部に閉じられたときの電源を、前記表示部の状態と動作モードに対応する設定値が表す電源のオンまたはオフにするように制御する
ことを特徴とする請求項４に記載の情報処理装置。
【請求項７】
ユーザによる操作を受け付ける受付手段と、
前記受付手段により受け付けられた操作に対応する処理を行う処理手段と
をさらに備え、
前記処理手段は、前記動作モードに応じて、前記操作に対応する処理を変更する
ことを特徴とする請求項１に記載の情報処理装置。
【請求項８】
前記処理手段は、ユーザにより各動作モードに対応して設定された前記操作に対応する処理を表す設定値に基づいて、前記動作モードに応じて、前記操作に対応する処理を、前記動作モードに対応する設定値が表す操作に対応する処理に変更する
ことを特徴とする請求項７に記載の情報処理装置。
【請求項９】
表示部が、本体部に対して開閉可能かつ回転可能である情報処理装置の情報処理方法において、
前記表示部の開閉または回転のうちの少なくともいずれか一方の状態を検出する検出ステップと、
前記検出ステップの処理により検出された前記表示部の状態に応じて、電源オン時の前記情報処理装置の動作モードを設定するモード設定ステップと
を含むことを特徴とする情報処理方法。
【請求項１０】
表示部が、本体部に対して開閉可能かつ回転可能である情報処理装置に実行させるプログラムにおいて、
前記表示部の開閉または回転のうち少なくともいずれか一方の状態を検出する検出ステップと、
前記検出ステップの処理により検出された前記表示部の状態に応じて、電源オン時の前記情報処理装置の動作モードを設定するモード設定ステップと
を含むことを特徴とするプログラム。
【発明の詳細な説明】
【技術分野】
【０００１】
本発明は、情報処理装置、情報処理方法、およびプログラムに関し、特に、表示パネル部の状態に応じて、電源オン時の動作モードを、ユーザに最適な動作モードに設定することができるようにする情報処理装置、情報処理方法、およびプログラムに関する。
【背景技術】
【０００２】
本体に開閉自在に取り付けられた表示パネルを有し、表示パネルの開閉または回転の状態に応じて、表示パネルへの表示を制御するカメラ一体型ビデオテープレコーダがある（例えば、特許文献１参照）。
【０００３】
具体的には、表示パネルの状態が、ユーザが表示パネルを見ることができる状態である場合、表示パネルへの表示が行われ、表示パネルの状態が、ユーザが表示パネルを見ることができない状態である場合、表示パネルへの表示が停止される。これにより、ユーザは、表示パネルの状態に応じて、表示パネルの表示または表示の停止（非表示）を指示する必要がなくなり、ユーザの使い勝手を向上させることができる。
【０００４】
【特許文献１】特開平８−２７５０９７号公報
【発明の開示】
【発明が解決しようとする課題】
【０００５】
しかしながら、特許文献１に記載されているカメラ一体型ビデオテープレコーダでは、ユーザが、例えば、被写体を撮影（撮像）し、その結果得られる画像を記録する撮影モード（記録モード）、表示パネルに、所定の記録媒体から再生した画像（以下、再生画像という）を表示する再生モードなどの動作モードのうち、所望の動作モードを選択する。そして、例えば、カメラ一体型ビデオテープレコーダの電源がオンされた場合、動作モードは、表示パネルの状態によらず、ユーザにより選択されている動作モードとなる。
【０００６】
従って、表示パネルの状態に応じて、ユーザの所望の動作モードが異なる場合、ユーザが、表示パネルの開閉または回転の状態を変更して、電源のオンを指示するとき、ユーザは、いまの表示パネルの状態において、所望の動作モードを新たに選択しなければならず、面倒である。即ち、ユーザが動作モードを新たに選択しない場合、ユーザにより選択されている動作モードは、変更前の表示パネルの状態において、ユーザに最適な動作モードであり、変更後の表示パネルの状態において、ユーザに最適な動作モードではない。従って、ユーザは、変更後の表示パネルの状態において、最適な動作モードを新たに選択する必要がある。
【０００７】
本発明は、このような状況に鑑みてなされたものであり、特に、表示パネル部の状態に応じて、電源オン時の動作モードを、ユーザに最適な動作モードに設定することができるようにするものである。
【課題を解決するための手段】
【０００８】
本発明の情報処理装置は、表示部の開閉または回転のうち少なくともいずれか一方の状態を検出する検出手段と、検出手段により検出された表示部の状態に応じて、電源オン時の情報処理装置の動作モードを設定するモード設定手段とを備えることを特徴とする。
【０００９】
モード設定手段は、表示部が表示面が外側になるように回転されて、本体部に対して閉じられた状態である場合、電源オン時の動作モードを、表示部に、所定の記録媒体から再生した画像である再生画像を表示する再生モードに設定することができる。
【００１０】
モード設定手段は、ユーザにより表示部の各状態に対応して設定された動作モードを表す設定値に基づいて、表示部の状態に応じて、電源オン時の動作モードを、表示部の状態に対応する設定値が表す動作モードに設定することができる。
【００１１】
情報処理装置には、検出手段により検出される表示部の状態と、情報処理装置の動作モードとに応じて、表示部が本体部に閉じられたときの電源のオンまたはオフを制御する電源制御手段をさらに設けることができる。
【００１２】
電源制御手段は、電源がオンにされており、表示部が表示面が外側になるように回転されて、本体部に対して開かれた状態から、閉じられた状態に変化した場合、動作モードが、表示部に、所定の記録媒体から再生した画像である再生画像を表示する再生モードであるとき、電源をオンのままにし、動作モードが画像を記録する撮影モードであるとき、電源がオフするように制御することができる。
【００１３】
電源制御手段は、ユーザにより表示部の各状態と各動作モードとに対応して設定された電源のオンまたはオフを表す設定値に基づいて、表示部の状態と動作モードとに応じて、表示部が本体部に閉じられたときの電源を、表示部の状態と動作モードに対応する設定値が表す電源のオンまたはオフにするように制御することができる。
【００１４】
情報処理装置には、ユーザによる操作を受け付ける受付手段と、受付手段により受け付けられた操作に対応する処理を行う処理手段とをさらに設け、処理手段は、動作モードに応じて、操作に対応する処理を変更することができる。
【００１５】
処理手段は、ユーザにより各動作モードに対応して設定された操作に対応する処理を表す設定値に基づいて、動作モードに応じて、操作に対応する処理を、動作モードに対応する設定値が表す操作に対応する処理に変更することができる。
【００１６】
本発明の情報処理方法は、表示部の開閉または回転のうち少なくともいずれか一方の状態を検出する検出ステップと、検出ステップの処理により検出された表示部の状態に応じて、電源オン時の情報処理装置の動作モードを設定するモード設定ステップとを含むことを特徴とする。
【００１７】
本発明のプログラムは、表示部の開閉または回転のうち少なくともいずれか一方の状態を検出する検出ステップと、検出ステップの処理により検出された表示部の状態に応じて、電源オン時の情報処理装置の動作モードを設定するモード設定ステップとを含むことを特徴とする。
【００１８】
本発明においては、表示部の開閉または回転のうち少なくともいずれか一方の状態を検出し、その表示部の状態に応じて、電源オン時の情報処理装置の動作モードを設定する。
【発明の効果】
【００１９】
本発明によれば、特に、表示パネル部の状態に応じて、電源オン時の動作モードを、ユーザに最適な動作モードに設定することができる。
【発明を実施するための最良の形態】
【００２０】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２１】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２２】
請求項１に記載の情報処理装置は、
表示部（例えば、図１の表示パネル部２２）が、本体部（例えば、図１の本体部１１）に対して開閉可能かつ回転可能である情報処理装置（例えば、図１のデジタルカメラ１）において、
前記表示部の開閉または回転のうち少なくともいずれか一方の状態を検出する検出手段（例えば、図４の状態検出部１０５）と、
前記検出手段により検出された前記表示部の状態に応じて、電源オン時の前記情報処理装置の動作モードを設定するモード設定手段（例えば、図５のモード設定部１４２）と
を備えることを特徴とする。
【００２３】
請求項２に記載の情報処理装置は、
前記モード設定手段は、前記表示部が表示面（例えば、図１の表示パネル４２）が外側になるように回転されて、前記本体部に閉じられた状態（例えば、状態ｄ）である場合、電源オン時の前記動作モードを、前記表示部に、所定の記録媒体(例えば、図４の記憶部１０７、メモリカード１１２など)から再生した画像である再生画像を表示する再生モードに設定する（例えば、図１１のステップＳ３４の処理）
ことを特徴とする。
【００２４】
請求項４に記載の情報処理装置は、
前記検出手段により検出される前記表示部の状態と、前記情報処理装置の動作モードとに応じて、前記表示部が前記本体部に閉じられたときの電源のオンまたはオフを制御する電源制御手段（例えば、図５の電源制御部１４１）
をさらに備える
ことを特徴とする。
【００２５】
請求項５に記載の情報処理装置は、
前記電源制御手段は、前記電源がオンにされており、前記表示部が表示面が外側になるように回転されて、前記本体部に対して開かれた状態（例えば、状態ｃ）から、閉じられた状態（例えば、状態ｄ）に変化した場合、前記動作モードが、前記表示部に、所定の記録媒体から再生した画像である再生画像を表示する再生モードであるとき、前記電源をオンのままにし（例えば、図６の遷移Ａ２２（図１０のステップＳ１９のＮＯの処理））、前記動作モードが画像を記録する撮影モードであるとき、前記電源がオフする（例えば、図６の遷移Ａ１７（図１０のステップＳ１６の処理））ように制御する
ことを特徴とする。
【００２６】
請求項７に記載の情報処理装置は、
ユーザによる操作を受け付ける受付手段（例えば、図４の外部操作入力部１０６）と、
前記受付手段により受け付けられた操作に対応する処理を行う処理手段（例えば、図５の操作処理部１４３）と
をさらに備え、
前記処理手段は、前記動作モードに応じて、前記操作に対応する処理を変更する
ことを特徴とする。
【００２７】
請求項９に記載の情報処理方法は、
表示部（例えば、図１の表示パネル部２２）が、本体部（例えば、図１の本体部１１）に対して開閉可能かつ回転可能である情報処理装置（例えば、図１のデジタルカメラ１）の情報処理方法において、
前記表示部の開閉または回転のうち少なくともいずれか一方の状態を検出する検出ステップ（例えば、図１０のステップＳ１１）と、
前記検出ステップの処理により検出された前記表示部の状態に応じて、電源オン時の前記情報処理装置の動作モードを設定するモード設定ステップ（例えば、図１０のステップＳ１４）と
を含むことを特徴とする。
【００２８】
請求項１０に記載のプログラムは、
表示部（例えば、図１の表示パネル部２２）が、本体部（例えば、図１の本体部１１）に対して開閉可能かつ回転可能である情報処理装置（例えば、図１のデジタルカメラ１）に実行させるプログラムにおいて、
前記表示部の開閉または回転のうち少なくともいずれか一方の状態を検出する検出ステップ（例えば、図１０のステップＳ１１）と、
前記検出ステップの処理により検出された前記表示部の状態に応じて、電源オン時の前記情報処理装置の動作モードを設定するモード設定ステップ（例えば、図１０のステップＳ１４）と
を含むことを特徴とする。
【００２９】
以下、本発明を適用した具体的な実施の形態について、図面を参照しながら詳細に説明する。
【００３０】
図１は、本発明を適用したデジタルカメラの外観構成例を示す斜視図である。
【００３１】
デジタルカメラ１は、本体部１１および表示部１２から構成されており、さらに表示部１２は、取り付け部２１および表示パネル部２２から構成されている。
【００３２】
本体部１１の面１１−１の図中上方には、表示部１２の取り付け部２１が取り付けられており、表示部１２が本体部１１に対して、Ａ方向とＢ方向に開閉可能（回動自在）に支持されている。
【００３３】
また、表示部１２の表示パネル部２２は、取り付け部２１を軸に、Ｄ方向に回転可能に支持されている。即ち、表示パネル部２２は、軸Ｃを中心として、Ｄ方向に回転可能に支持されている。これにより、ユーザは、表示パネル部２２を本体部１１に対して、自由に位置決めすることができる。
【００３４】
本体部１１の面１１−２には、電源ボタン３１、モード切替ボタン３２、撮影モード表示部３３、および再生モード表示部３４が設けられている。
【００３５】
電源ボタン３１は、電源をオンまたはオフにするときに操作される。モード切替ボタン３２は、デジタルカメラ１の動作モード（撮影モード、再生モードなど）を変更するときに操作される。撮影モード表示部３３と再生モード表示部３４は、例えば、LED(Light Emission Diode)から構成され、デジタルカメラ１の動作モードが、それぞれ撮影モードまたは再生モードであるとき、点灯または点滅する。
【００３６】
本体部１１の面１１−１の取り付け部２１が取り付けられている位置より下方には、操作ボタン３５が設けられている。操作ボタン３５は、撮影または再生に関する指示を行うときに操作される。また、操作ボタン３５は、表示パネル４２に、デジタルカメラ１の各種の設定を行うためのメニュー画面が表示された場合、そのメニュー画面において、各種の設定を行うときに操作される。
【００３７】
表示部１２の表示パネル部２２には、操作ボタン４１(図中左側)および表示パネル４２（図中右側）が設けられている。このように、操作ボタン３５が、表示パネル４２の側に設けられることにより、ユーザは、表示パネル４２に表示される画像を見ながら、操作ボタン３５の操作を容易に行うことができる。
【００３８】
操作ボタン４１は、操作ボタン４１ａ乃至４１ｃから構成され、操作ボタン３５と同様に、撮影または再生に関する指示を行うとき、あるいはメニュー画面において各種の設定を行うときに、操作される。例えば、操作ボタン４１ａは、静止画像の撮影またはファイル送りを指示するときに、操作される。操作ボタン４１ｂは、動画像を先頭から再生して、表示パネル４２に表示させることを指示するときに、操作される。操作ボタン４１ｃは、動画像の撮影、またはファイル戻しを指示するときに、操作される。このように、操作ボタン４１ａと４１ｃは、それぞれ、２つの異なる機能を有している。なお、以下では、動画像または静止画像を区別する必要がない場合、それらをまとめて画像という。
【００３９】
表示パネル４２は、例えば、液晶パネルから構成され、撮影された画像や再生画像などを表示する。
【００４０】
図２は、図１のデジタルカメラ１を図１中のＥ方向から見た斜視図である。
【００４１】
本体部１１の面１１−３の図中上方には、レンズ５１が設けられている。レンズ５１は、被写体からの光を通過させ、その結果、被写体が撮影される。なお、撮影とは、被写体の画像を取得し、その取得した画像を表示パネル４２に表示させることである。
【００４２】
図３Ａ乃至図３Ｄは、デジタルカメラ１の各種の状態を示している。
【００４３】
図３Ａは、表示パネル部２２の表示パネル４２が内側になるようにして、表示部１２（の表示パネル部２２）を閉じた状態のデジタルカメラ１の斜視図である。なお、以下では、図３Ａに示したデジタルカメラ１の表示パネル部２２の開閉または回転の状態を、状態ａという。図３Ａに示すように、状態ａでは、表示パネル部２２の表示パネル４２と本体部１１の操作ボタン３５が、互いに接して収納される。
【００４４】
ここで、表示部１２は、本体部１１に対して、取り付け部２１を中心として回動（回転）することにより、表示パネル部２２を開閉するが、その回転角度は、状態ａを０度として考えるものとする。
【００４５】
図３Ｂは、図３Ａの状態ａの表示部１２（の表示パネル部２２）を、取り付け部２１を中心にＡ方向（時計回り）に９０度回転させて開いた状態のデジタルカメラ１の斜視図である。なお、以下では、図３Ｂに示したデジタルカメラ１の表示パネル部２２の開閉または回転の状態を、状態ｂという。図３Ｂに示すように、状態ｂでは、図３Ａの状態ａで収納されていた表示パネル４２が露出し、Ｅ方向から表示パネル４２に表示される画像を見ることが可能となる。
【００４６】
ここで、表示パネル部２２は、軸Ｃを中心として回転するが、その回転角度は、状態ｂを０度として考えるものとする。
【００４７】
図３Ｃは、図３Ｂの状態ｂの表示パネル部２２を、軸Ｃを中心としてＤ方向（半時計周りまたは時計周り）に１８０度回転させた状態のデジタルカメラ１の斜視図である。なお、以下では、図３Ｃに示したデジタルカメラ１の表示パネル部２２の開閉または回転の状態を、状態ｃという。図３Ｃに示すように、状態ｃでは、表示パネル４２が、図３Ｂの状態ｂとは反対側に露出し、Ｅ方向とは反対のＦ方向から表示パネル４２に表示される画像を見ることが可能となる。
【００４８】
図３Ｄは、図３Ｃの状態ｃの表示部１２（の表示パネル部２２）を、取り付け部２１を中心にＢ方向（反時計回り）に９０度回転させて閉じた状態のデジタルカメラ１の斜視図である。なお、以下では、図３Ｄに示したデジタルカメラ１の表示パネル部２２の開閉または回転の状態を、状態ｄという。図３Ｄに示すように、状態ｄでは、表示パネル４２が露出したまま、操作ボタン３５が収納される。即ち、状態ｄは、表示パネル部２２の表示パネル４２が外側になるように回転され、本体部１１に閉じられている。従って、状態ｄでは、表示パネル４２をＦ方向から見ることが可能である。
【００４９】
図４は、デジタルカメラ１の内部の構成例を示すブロック図である。
【００５０】
図示せぬ被写体からの光は、レンズ５１や図示せぬ絞り機構などにより構成されるレンズ部８１を介して、CCD（Charge Coupled Device）８２に入射される。CCD８２は、レンズ部８１からの光を光電変換し、アナログ信号である画像信号として、CDS回路（Correlated Double Sampling circuit）８３に供給する。
【００５１】
CDS回路８３は、CCD８２からの画像信号に、相関二重サンプリングを施してノイズ成分を除去し、その画像信号をAGC回路（Automatic Gain Control circuit）８４に出力する。AGC回路８４は、CDS回路８３からの画像信号のゲインを調整した後、その画像信号をA/D（Analog / Digital）変換器８５に出力する。A/D変換器８５は、AGC回路８４からのアナログ信号である画像信号を、デジタル信号に変換し、画像データとして、DSP（Digital Signal Processor）８６に出力する。
【００５２】
DSP８６は、画像調整処理部９１、画像圧縮・伸張処理部９２、およびSDRAM（Synchronous Dynamic Random Access Memory）コントローラ９３から構成される。DSP８６の画像調整処理部９１は、A/D変換器８５からの画像データに基づいて、AF（Auto Focus）、AE（Auto Exposure）、およびAWB（Auto White Balance）などに用いられる制御信号を生成し、その制御信号を、バス１００を介してCPU（Central Processing Unit）１０１に供給する。
【００５３】
画像圧縮・伸張処理部９２は、SDRAMコントローラ９３を制御し、SDRAM８７にA/D変換器８５からの画像データを一時的に保持させながら、例えばJPEG（Joint Photographic Expert Group）方式等の所定の圧縮伸張方式で、その画像データを圧縮し、圧縮画像データを生成する。
【００５４】
そして、画像圧縮・伸張処理部９２は、圧縮画像データを、バス１００を介して、RAM（Random Access Memory）１０３に供給し、保持させる。また、画像圧縮・伸張処理部９２は、必要に応じて、RAM１０３、記憶部１０７、またはメモリカード１１２に記憶されている圧縮画像データを伸張し、表示制御部１０８に供給する。
【００５５】
SDRAMコントローラ９３は、画像圧縮・伸張処理部９２の制御により、A/D変換器８５からの画像データを、SDRAM８７に一時的に保持させたり、SDRAM８７に保持されている画像データを読み出して、画像圧縮・伸張処理部９２に供給する。SDRAM８７は、A/D変換器８５からの画像データを保持する。
【００５６】
CPU１０１、ROM(Read Only Memory)１０２、およびRAM１０３は、バス１００を介して相互に接続されている。このバス１００にはまた、記憶部１０７、表示制御部１０８、スピーカ１０９、USB（Universal Serial Bus）インタフェース１１０、およびメモリI/F(Inter Face)１１１が接続されている。
【００５７】
CPU１０１は、ROM１０２に記憶されているプログラム、または記憶部１０７からRAM１０３にロードされたプログラムにしたがって各部を制御したり、各種の処理を実行する。
【００５８】
CPU１０１には、電源供給部１０４、状態検出部１０５、および外部操作入力部１０６が接続されている。CPU１０１は、状態検出部１０５からの表示パネル部２２の状態ａ乃至ｄを表す状態信号と、外部操作入力部１０６からのユーザによる操作を表す操作信号とに基づいて、電源供給部１０４による各部への電源の供給を制御する。即ち、CPU１０１は、電源のオンまたはオフを制御する。また、CPU１０１は、状態信号、操作信号、またはUSBインタフェース１１０からの接続情報に基づいて、デジタルカメラ１の動作モードを設定する。
【００５９】
さらに、CPU１０１は、外部操作入力部１０６からの操作信号や、画像調整処理部９１からの制御情報、または、各種のプログラムを実行することにより得られた情報などに基づいて、CDS回路８３、AGC回路８４、およびA/D変換器８５の動作を制御する。また、CPU１０１は、CCD８２の駆動を制御するTG（Timing Generator）１２１およびＶドライバ１２２を制御することにより、CCD８２の動作を制御する。さらに、CPU１０１は、レンズ部８１の動作を制御するアイリスシャッタドライバ１２３を制御し、シャッタスピードを調整したり、絞り機構を調整する。
【００６０】
このように、CPU１０１は、CDS回路８３、AGC回路８４、A/D変換器８５、TG１２１、Ｖドライバ１２２、およびアイリスシャッタドライバ１２３を制御することにより、被写体の動画像（の画像データ)や、例えば、１フレーム単位の静止画像(の画像データ)を取得する。そして、CPU１０１は、その取得した動画像または静止画像の画像データをRAM１０３に供給して保持させながら、その画像データを表示制御部１０８に供給し、その画像データに対応する画像を、表示パネル４２に表示させる。以上のようにして、被写体の撮影が行われる。
【００６１】
さらに、CPU１０１は、外部操作入力部１０６からの操作信号に基づいて、撮影した画像を、RAM１０３から読み出し、記憶部１０７またはメモリI/F１１１を介してメモリカード１１２に供給して、記録させる。
【００６２】
また、CPU１０１は、外部操作入力部１０６からの操作信号に基づいて、記憶部１０７またはメモリカード１１２に記録されている画像データを読み出し(再生し)、画像圧縮・伸張処理部９２に供給する。そして、画像圧縮・伸張処理部９２は、再生画像の画像データ（以下、再生画像データという）を伸張する。
【００６３】
ROM１０２は、例えば、CPU１０１により実行されるプログラムを記憶する。RAM１０３は、例えば、CPU１０１が各種の処理を実行する上において必要なデータを適宜記憶する。また、RAM１０３は、画像圧縮・伸張処理部９２から、バス１００を介して供給される圧縮画像データを保持する。
【００６４】
電源供給部１０４は、CPU１０１の制御に基づいて、各部に電源を供給する。状態検出部１０５は、表示パネル部２２の開閉または回転の状態ａ乃至ｄを検出し、その検出した状態を表す状態信号を、CPU１０１に供給する。
【００６５】
外部操作入力部１０６は、上述した電源ボタン３１、モード切替ボタン３２、操作ボタン３５と４１の他に、各種のボタン、ダイヤル、つまみ、並びにタッチパネル（いずれも図示せず）などで構成される。外部操作入力部１０６は、ユーザの操作を受け付け、その操作を表す操作信号をCPU１０１に供給する。
【００６６】
記憶部１０７は、不揮発性の半導体メモリやハードディスクなどで構成される。記憶部１０７には、例えば、RAM１０３に保持されている圧縮画像データが供給され、記憶部１０７は、その圧縮画像データを記録する。
【００６７】
表示制御部１０８には、図示せぬVRAM（Video Random Access Memory）が内蔵されている。表示制御部１０８は、DSP８６からの伸張後の再生画像データを、内蔵するVRAMに記憶させ、そのVRAMに記憶されている再生画像データに対応する再生画像を、表示パネル４２に表示させる。
【００６８】
また、表示制御部１０８は、デジタルカメラ１の動作モードが撮影モードである場合、撮影モード表示部３３を点灯させ、再生モードである場合、再生モード表示部３４を点灯させる。
【００６９】
スピーカ１０９は、CPU１０１の制御により、所定の音声を出力する。例えば、スピーカは、デジタルカメラ１の動作モードの切替を通知する音楽(音声)を出力する。
【００７０】
USB（Universal Serial Bus）インタフェース１１０は、ROM１０２などに記憶されている圧縮画像データを、図示せぬUSBケーブルを介して、他の装置に転送する。また、USBインタフェース１１０は、USBケーブルが接続されているかどうかを表す接続情報を、CPU１０１に供給する。
【００７１】
メモリI/F１１１には、メモリカード１１２が装着される。メモリI/F１１１には、RAM１０３に保持されている圧縮画像データが供給され、メモリI/Fは、その圧縮画像データをメモリカード１１２に供給して記録させる。また、メモリI/F１１１は、メモリカード１１２に記憶されている圧縮画像データを読み出し、画像圧縮・伸張処理部９２に供給する。また、メモリI/F１１１は、必要に応じて、メモリカード１１２からプログラムを読み出し、記憶部１０７やRAM１０３などにインストールする。メモリカード１１２は、RAM１０３に保持されている圧縮画像データなどを記録する。
【００７２】
バス１００にはまた、必要に応じて、図示せぬインタフェースを介して、ドライブ１１３が接続され、ドライブ１１３に装着されたCD-ROM(Compact Disc Read Only Memory)，MO(Magneto Optical)ディスク，DVD(Digital Versatile Disc)、磁気ディスク、半導体メモリなどのリムーバブル記録媒体１１４から読み出されたプログラムが、記憶部１０７やRAM１０３などにインストールされる。
【００７３】
図５は、図４のCPU１０１の詳細構成例を示すブロック図である。
【００７４】
図５のCPU１０１は、電源制御部１４１、モード設定部１４２、操作処理部１４３、および判定部１４４から構成される。
【００７５】
電源制御部１４１は、モード設定部１４２からの設定されている動作モードを表すモード信号、または判定部１４４からの判定結果に基づいて、電源供給部１０４を制御し、電源をオフまたはオンにする。また、電源制御部１４１は、電源の状態、即ち電源のオンまたはオフを表す電源状態信号を、モード設定部１４２に供給する。
【００７６】
モード設定部１４２は、電源制御部１４１からの電源状態信号、または判定部１４４からの判定結果に基づいて、デジタルカメラ１の動作モードを、撮影モードまたは再生モードに設定し、操作処理部１４３に供給する。また、モード設定部１４２は、USBインタフェース１１０からの接続情報に基づいて、デジタルカメラ１の動作モードを、USBモードに設定する。さらに、モード設定部１４２は、設定されている動作モードを表すモード信号を、電源制御部１４１と操作処理部１４３に供給する。
【００７７】
操作処理部１４３は、モード設定部１４２からのモード信号と、外部操作入力部１０６からの操作信号とに基づいて、各部を制御し、ユーザからの操作に対応する処理を行う。
【００７８】
判定部１４４は、状態検出部１０５からの状態信号に基づいて、表示パネル部２２の状態ａ乃至ｄに対する判定を行い、その判定結果を、電源制御部１４１またはモード設定部１４２に供給する。また、判定部１４４は、外部操作入力部１０６からの操作信号に基づいて、ユーザの操作に対する判定を行い、その判定結果を、電源制御部１４１またはモード設定部１４２に供給する。
【００７９】
図６乃至図９は、デジタルカメラ１の動作モードの遷移を説明する図である。
【００８０】
図６は、デジタルカメラ１のUSBインタフェース１１０に、図示せぬUSBケーブルが接続されていないときの、デジタルカメラ１の動作モードの遷移を示している。
【００８１】
図６に示すように、表示パネル部２２が状態ａのデジタルカメラ１において、電源がオフされており、動作モードが電源オフモード１６１である場合に、ユーザが電源ボタン３１を操作し、電源のオンを指示するとき、電源がオンされ、デジタルカメラ１の動作モードは、電源オフモード１６１から、被写体を撮影し、その結果得られる画像を記録する撮影モード１６２に遷移する（遷移Ａ１）。
【００８２】
ここで、状態ａのデジタルカメラ１においては、表示パネル４２が収納されており、ユーザは、表示パネル４２に表示される画像を見ることができないので、撮影モード１６２では、表示パネル４２の表示(電源)はオフされている（表示パネル４２に電源が供給されない）。これにより、デジタルカメラ１の消費電力を削減することができる。
【００８３】
また、状態ａのデジタルカメラ１において、電源がオフされており、動作モードが電源オフモード１６１である場合に、ユーザが表示パネル部２２の状態を、状態ａからｂに変更するとき、電源がオンされ、デジタルカメラ１の動作モードは、電源オフモード１６１から撮影モード１６４に遷移する（遷移Ａ２）。これにより、ユーザは、表示パネル部２２の状態を、状態ａからｂに変更するだけで、即座に被写体の撮影を行うことができる。また、ユーザは、表示パネル部２２の状態を、状態ａからｂに変更するだけで、電源をオンすることができる。その結果、ユーザの手間を省くことができる。
【００８４】
ここで、表示パネル部２２が状態ｂのデジタルカメラ１においては、表示パネル４２が露出しており、ユーザは、表示パネル４２に表示される画像を見ることができるので、撮影モード１６４では、表示パネル４２の表示はオンされる。また、状態ｂのデジタルカメラ１においては、レンズ５１と表示パネル４２が、同一の図３ＢのＥ方向から見ることができるので、撮影モード１６４では、ユーザは、自分自身を被写体として撮影し、表示パネル４２に表示されている画像を見ながら録画を指示する、いわば「自分撮り」を行う。
【００８５】
状態ａのデジタルカメラ１において、動作モードが撮影モード１６２である場合に、ユーザが電源ボタン３１を操作し、電源のオフを指示するとき、デジタルカメラ１の動作モードは、撮影モード１６２から、電源オフモード１６１に遷移し（遷移Ａ３）、電源がオフされる。
【００８６】
また、状態aのデジタルカメラ１において、動作モードが撮影モード１６２である場合に、ユーザが表示パネル部２２の状態を、状態ａからｂに変更するとき、デジタルカメラ１の動作モードは、撮影モード１６２から、撮影モード１６４に遷移する（遷移Ａ４）。
【００８７】
なお、状態ａのデジタルカメラ１においては、ユーザは、表示パネル４２に表示される画像を見ることができないので、表示パネル４２に画像を表示する再生モードは設定されない。
【００８８】
状態ｂのデジタルカメラ１において、電源がオフされており、動作モードが電源オフモード１６３である場合に、ユーザが電源ボタン３１を操作し、電源のオンを指示するとき、電源がオンされ、デジタルカメラ１の動作モードは、電源オフモード１６３から、撮影モード１６４に遷移する（遷移Ａ５）。状態ｂのデジタルカメラ１において、動作モードが撮影モード１６４である場合に、ユーザが電源ボタン３１を操作し、電源のオフを指示するとき、デジタルカメラ１の動作モードは、撮影モード１６４から、電源オフモード１６３に遷移し（遷移Ａ６）、電源がオフされる。
【００８９】
また、状態ｂのデジタルカメラ１において、動作モードが撮影モード１６４である場合に、ユーザが表示パネル部２２の状態を、状態ｂからａに変更するとき、デジタルカメラ１の動作モードは、撮影モード１６４から、電源オフモード１６１に遷移し（遷移Ａ７）、電源がオフされる。これにより、ユーザは、表示パネル部２２の状態を、状態ｂからａに変更するだけで、電源をオフにすることができる。その結果、ユーザの手間を省くことができる。
【００９０】
さらに、状態ｂのデジタルカメラ１において、動作モードが撮影モード１６４である場合に、ユーザが表示パネル部２２の状態を、状態ｂからｃに変更するとき、デジタルカメラ１の動作モードは、撮影モード１６４から撮影モード１６７に遷移する（遷移Ａ８）。このとき、表示パネル４２は、図３Ｃに示したように、軸Ｃを中心としてＤ方向に１８０度回転するので、状態ｂとｃでは、表示パネル４２の上下が逆になる。従って、遷移Ａ８では、表示パネル４２に表示される画像が反転される。
【００９１】
ここで、表示パネル部２２が状態ｃのデジタルカメラ１においては、表示パネル４２がレンズ５１が設けられる本体部１１の面１１−３と反対側（面１１−１側）に露出するので、撮影モード１６７では、本体部１１の面１１−１側にいるユーザが、本体部１１の面１１−３側にいる被写体を撮影し、表示パネル４２に表示される画像を見ながら、記録を指示する。
【００９２】
また、状態ｂのデジタルカメラ１において、動作モードが撮影モード１６４である場合に、ユーザがモード切替ボタン３２を操作し、動作モードの変更を指示するとき、デジタルカメラ１の動作モードは、撮影モード１６４から、表示パネル４２に、記憶部１０７またはメモリカード１１２から再生した画像である再生画像を表示する再生モード１６５に遷移する（遷移Ａ９）。このとき、動作モードの切替を通知する音楽が、スピーカ１０９から出力されるとともに、撮影モード表示部３３が消灯し、再生モード表示部３４が点灯する。これにより、ユーザは、動作モードの切替を容易に認識することができる。
【００９３】
ここで、状態ｂのデジタルカメラ１においては、表示パネル４２が、本体部１１の面１１−３に設けられたレンズ５１と同一の図３ＢのＥ方向から見ることができるので、再生モード１６５では、デジタルカメラ１は、本体部１１の面１１−１側ではなく、その対面である面１１−３側にいるユーザに再生画像を見せる。
【００９４】
状態ｂのデジタルカメラ１において、動作モードが再生モード１６５である場合に、ユーザがモード切替ボタン３２を操作し、動作モードの変更を指示するとき、デジタルカメラ１の動作モードは、再生モード１６５から、撮影モード１６４に遷移する（遷移Ａ１０）。このとき、動作モードの切替を通知する音楽が、スピーカ１０９から出力されるとともに、再生モード表示部３４が消灯し、撮影モード表示部３３が点灯する。
【００９５】
なお、撮影モード１６４から再生モード１６５に動作モードが遷移される場合（遷移Ａ９）に、スピーカ１０９から出力される音楽と、再生モード１６５から撮影モード１６４に動作モードが遷移される場合（遷移Ａ１０）に、スピーカ１０９から出力される音楽とは、同一であってもよいし、異なってもよい。スピーカ１０９から出力される音楽が異なる場合、ユーザは、スピーカ１０９から出力される音楽により、動作モードが再生モード１６５に遷移された(切り替えられた)か、撮影モード１６４に遷移されたかを、容易に認識することができる。
【００９６】
また、状態ｂのデジタルカメラ１において、動作モードが再生モード１６５である場合に、ユーザが電源ボタン３１を操作し、電源のオフを指示するとき、デジタルカメラ１の動作モードは、再生モード１６５から電源オフモード１６３に遷移し（遷移Ａ１１）、電源がオフされる。さらに、状態ｂのデジタルカメラ１において、動作モードが再生モード１６５である場合に、ユーザが表示パネル部２２の状態を、状態ｂからａに変更すると、デジタルカメラ１の動作モードは、再生モード１６５から電源オフモード１６１に遷移し（遷移Ａ１２）、電源がオフされる。
【００９７】
また、状態ｂのデジタルカメラ１において、動作モードが再生モード１６５である場合に、ユーザが表示パネル部２２の状態を、状態ｂからｃに変更すると、デジタルカメラ１の動作モードは、再生モード１６５から再生モード１６８に遷移する（遷移Ａ１３）。ここで、状態ｃのデジタルカメラ１においては、表示パネル４２がレンズ５１が設けられる本体部１１の背面１１−３側と反対側（前面１１−１側)に露出するので、再生モード１６８では、デジタルカメラ１は、本体部１１の前面側にいるユーザに再生画像を見せる。
【００９８】
状態ｃのデジタルカメラ１において、電源がオフされており、動作モードが電源オフモード１６６である場合に、ユーザが電源ボタン３１を操作し、電源のオンを指示するとき、電源がオンされ、デジタルカメラ１の動作モードは、電源オフモード１６６から、撮影モード１６７に遷移する（遷移Ａ１４）。状態ｃのデジタルカメラ１において、動作モードが撮影モード１６７である場合に、ユーザが電源ボタン３１を操作し、電源のオフを指示するとき、デジタルカメラ１の動作モードは、撮影モード１６７から、電源オフモード１６６に遷移し（遷移Ａ１５）、電源がオフされる。
【００９９】
また、状態ｃのデジタルカメラ１において、動作モードが撮影モード１６７である場合に、表示パネル部２２の状態を、状態ｃからｂに変更すると、デジタルカメラ１の動作モードは、撮影モード１６７から、撮影モード１６４に遷移する（遷移Ａ１６）。さらに、状態ｃのデジタルカメラ１において、動作モードが撮影モード１６７である場合に、表示パネル部２２の状態を、状態ｃからｄに変更すると、デジタルカメラ１の動作モードは、撮影モード１６７から、電源オフモード１６９に遷移し（遷移Ａ１７）、電源がオフされる。
【０１００】
また、状態ｃのデジタルカメラ１において、動作モードが撮影モード１６７である場合に、ユーザがモード切替ボタン３２を操作し、動作モードの変更を指示すると、デジタルカメラ１の動作モードは、撮影モード１６７から、再生モード１６８に遷移する（遷移Ａ１８）。このとき、遷移Ａ９の場合と同様に、動作モードの切替を通知する音楽が、スピーカ１０９から出力されるとともに、撮影モード表示部３３が消灯し、再生モード表示部３４が点灯する。
【０１０１】
状態ｃのデジタルカメラ１において、動作モードが再生モード１６８である場合に、ユーザがモード切替ボタン３２を操作し、動作モードの変更を指示すると、デジタルカメラ１の動作モードは、再生モード１６８から、撮影モード１６７に遷移する（遷移Ａ１９）。このとき、遷移Ａ１０と同様に、動作モードの切替を通知する音楽が、スピーカ１０９から出力されるとともに、再生モード表示部３４が消灯し、撮影モード表示部３３が点灯する。
【０１０２】
また、状態ｃのデジタルカメラ１において、動作モードが再生モード１６８である場合に、ユーザが電源ボタン３１を操作し、電源のオフを指示するとき、デジタルカメラ１の動作モードは、再生モード１６８から電源オフモード１６６に遷移し（遷移Ａ２０）、電源がオフされる。さらに、状態ｃのデジタルカメラ１において、動作モードが再生モード１６８である場合に、ユーザが表示パネル部２２の状態を、状態ｃからｂに変更すると、デジタルカメラ１の動作モードは、再生モード１６８から再生モード１６５に遷移する（遷移Ａ２１）。
【０１０３】
また、状態ｃのデジタルカメラ１において、動作モードが再生モード１６８である場合に、ユーザが表示パネル部２２の状態を、状態ｃからｄに変更すると、デジタルカメラ１の動作モードは、再生モード１６８から撮影モード１７０に遷移する（遷移Ａ２２）。このように、表示パネル部２２の状態が、状態ｃからｄに変更された場合においても、動作モードが再生モード１６８であるとき、電源はオンのままであり、動作モードが再生モード１７０となるので、ユーザは、そのまま再生画像の表示を楽しむことができる。
【０１０４】
ここで、表示パネル部２２が状態ｄのデジタルカメラ１においては、表示パネル４２が本体部１１に閉じられており、再生モード１７０では、撮影後に、複数人で記録された画像を、再生して見ることが多い。即ち、再生モード１７０では、デジタルカメラ１は、複数の人に、再生画像をシェアさせながら見せる。
【０１０５】
状態ｄのデジタルカメラ１において、電源がオフされており、動作モードが電源オフモード１６９である場合に、ユーザが電源ボタン３１を操作し、電源のオンを指示するとき、電源がオンされ、デジタルカメラ１の動作モードは、電源オフモード１６９から、再生モード１７０に遷移する（遷移Ａ２３）。
【０１０６】
ここで、状態ｄのデジタルカメラ１においては、表示パネル４２が閉じられているので、ユーザは、撮影を行うのではなく、記録された画像を再生して、見ることが多い。従って、状態ｄのデジタルカメラ１においては、電源オン時の動作モードを、再生モードに設定することにより、デジタルカメラ１の動作モードを、ユーザに最適な動作モードにすることができる。
【０１０７】
また、状態ｄのデジタルカメラ１において、動作モードが電源オフモード１６９である場合に、ユーザが表示パネル部２２の状態を、状態ｄからｃに変更するとき、電源がオンされ、デジタルカメラ１の動作モードは、電源オフモード１６９から、撮影モード１６７に遷移する（遷移Ａ２４）。
【０１０８】
状態ｄのデジタルカメラ１において、動作モードが再生モード１７０である場合に、ユーザが電源ボタン３１を操作し、電源のオフを指示するとき、デジタルカメラ１の動作モードは、再生モード１７０から、電源オフモード１６９に遷移し（遷移Ａ２５）、電源がオフされる。
【０１０９】
また、状態ｄのデジタルカメラ１において、動作モードが再生モード１７０である場合に、ユーザが表示パネル部２２の状態を状態ｄから状態ｃに変更するとき、デジタルカメラ１の動作モードは、再生モード１７０から、再生モード１６８に遷移する（遷移Ａ２６）。
【０１１０】
なお、状態ｄのデジタルカメラ１においては、上述したように、表示パネル４２が閉じられおり、ユーザは、撮影を行うのではなく、記録後の画像を再生して見ることが多いため、被写体を撮影し、その結果得られる画像を記録する撮影モードは設定されない。
【０１１１】
以上のように、状態ｂとｃのデジタルカメラ１において、電源オン時の動作モードは、撮影モード１６４または１６７となっている(遷移Ａ２，Ａ５，Ａ１４，Ａ２４)。ここで、状態ｂとｃのデジタルカメラ１では、表示パネル４２が本体部４１に対して開かれているので、ユーザが撮影を行う可能性が高い。従って、状態ｂとｃのデジタルカメラ１において、電源オン時の動作モードを、被写体を撮影して記録する撮影モード１６４または１６７にすることにより、デジタルカメラ１の動作モードを、ユーザに最適な動作モードにすることができる。
【０１１２】
また、表示パネル４２を開くとき、即ち表示パネル部２２の状態を、状態ａからｂ、または状態ｄからｃに変更するとき、電源がオンされる。ここで、表示パネル４２を開くとき、ユーザがデジタルカメラ１を使用する可能性が高い。従って、表示パネル４２が開かれるとき、電源をオンにすることにより、ユーザの使い勝手を向上することができる。
【０１１３】
図７は、デジタルカメラ１のUSBインタフェース１１０（図４）に、USBケーブルが接続されたときの、デジタルカメラ１の動作モードの遷移を示している。
【０１１４】
図７に示すように、USBケーブルが接続されている表示パネル部２２が状態ａのデジタルカメラ１において、電源がオフされており、動作モードが電源オフモード１９１である場合に、ユーザが電源ボタン３１を操作し、電源のオンを指示するとき、電源がオンされ、デジタルカメラ１の動作モードは、電源オフモード１９１から、USBモード１９５に遷移する（遷移Ｂ１）。ここで、USBモード１９５とは、USBインタフェース１１０がUSBケーブルを介して、ROM１０２などに記憶されている圧縮画像データを、他の装置に送信する動作モードである。なお、動作モードがUSBモードである場合、ユーザによるモード切替ボタン３２の操作は無効となる。
【０１１５】
USBケーブルが接続されている状態ａのデジタルカメラ１において、動作モードがUSBモード１９５である場合に、ユーザが電源ボタン３１を操作し、電源のオフを指示するとき、デジタルカメラ１の動作モードは、USBモード１９５から電源オフモード１９１に遷移し（遷移Ｂ２）、電源がオフされる。
【０１１６】
USBケーブルが接続されている表示パネル部２２が状態ｂのデジタルカメラ１においても、状態ａのデジタルカメラ１の場合と同様に、電源がオフされており、動作モードが電源オフモード１９２である場合に、ユーザにより電源のオンが指示されるとき、電源がオンされ、デジタルカメラ１の動作モードは、電源オフモード１９２からUSBモード１９５に遷移し（遷移Ｂ３）、動作モードがUSBモード１９５である場合に、ユーザにより電源のオフが指示されるとき、動作モードは、USBモード１９５から電源オフモード１９２に遷移し（遷移Ｂ４）、電源がオフされる。
【０１１７】
また、USBケーブルが接続されている状態ｂのデジタルカメラ１において、動作モードがUSBモード１９５である場合に、ユーザが表示パネル部２２の状態を、状態ｂからａに変更するとき、デジタルカメラ１の動作モードは、USBモード１９５から電源オフモード１９１に遷移し（遷移Ｂ５）、電源がオフされる。
【０１１８】
ここで、一般的には、ユーザは、表示パネル４２を見ながら、USBケーブルを介して他の装置に転送する圧縮画像データを選択し、転送を指示する。しかしながら、状態ａのデジタルカメラ１においては、表示パネル４２が収納されており、ユーザは表示パネル４２に表示される画像を見ることができない。従って、表示パネル部２２の状態が、状態ｂからａに変更された場合、動作モードを、USBモード１９５から電源オフモード１９１に遷移させることにより、デジタルカメラ１の動作モードを、ユーザに最適な動作モードにすることができる。
【０１１９】
USBケーブルが接続されている表示パネル部２２が状態ｃのデジタルカメラ１においても、状態ａのデジタルカメラ１の場合と同様に、電源がオフされており、動作モードが電源オフモード１９３である場合に、ユーザにより電源のオンが指示されるとき、電源がオンされ、デジタルカメラ１の動作モードは、電源オフモード１９３からUSBモード１９５に遷移し（遷移Ｂ６）、動作モードがUSBモード１９５である場合に、ユーザにより電源のオフが指示されるとき、動作モードは、USBモード１９５から電源オフモード１９３に遷移し（遷移Ｂ７）、電源がオフされる。
【０１２０】
また、USBケーブルが接続されている表示パネル部２２が状態ｄのデジタルカメラ１においても、状態ａやｃのデジタルカメラ１の場合と同様に、電源がオフされており、動作モードが電源オフモード１９４である場合に、ユーザにより電源のオンが指示されるとき、電源がオンされ、デジタルカメラ１の動作モードは、電源オフモード１９４からUSBモード１９５に遷移し（遷移Ｂ８）、動作モードがUSBモード１９５である場合に、ユーザにより電源のオフが指示されるとき、動作モードは、USBモード１９５から電源オフモード１９４に遷移し（遷移Ｂ９）、電源がオフされる。
【０１２１】
図８は、表示パネル部２２の状態の変化と、動作モードの遷移の関係を示している。
【０１２２】
図８では、表示パネル部２２の状態ａからｂへの変化を、状態変化Ｃ１という。同様に、表示パネル部２２の状態ｂからａへの変化を状態変化Ｃ２、状態ｂからｃへの変化を状態変化Ｃ３、状態ｃからｂへの変化を状態変化Ｃ４、状態ｄからｃへの変化を状態変化Ｃ５、状態ｃからｄへの変化を状態変化Ｃ６という。
【０１２３】
例えば、図８の表の項目を除く第１行目に示すように、状態変化Ｃ１の場合、デジタルカメラ１の電源がオフにされており、デジタルカメラ１の遷移前の動作モードが電源オフモード１６１（図６）であるとき、遷移後の動作モードは、撮影モード１６４となる（遷移Ａ２）。また、図８の第３行目に示すように、状態変化Ｃ１の場合、デジタルカメラ１の遷移前の動作モードがUSBモード１９５（図７）であるとき、遷移後の動作モードはUSBモード１９５のままである（遷移なし）。
【０１２４】
図９は、ユーザによる電源ボタン３１とモード切替ボタン３２の操作と、動作モードの遷移の関係を示している。
【０１２５】
例えば、図９の表の項目を除く第１行目に示すように、状態ａのデジタルカメラ１において、電源がオフにされており、動作モードが電源オフモード１６１（図６）である場合に、ユーザが電源ボタン３１を操作し、電源のオンを指示するとき、電源がオンされ、動作モードは、遷移後の動作モードは、撮影モード１６２となる（遷移Ａ１）。
【０１２６】
また、図９の表の第９行目に示すように、状態ａのデジタルカメラ１において、動作モードが、撮影モード１６２である場合に、ユーザがモード切替ボタン３１を操作し、動作モードの切替を指示するとき、状態ａのデジタルカメラ１では、再生モードは設定されないので、エラー処理として、電源がオフされる。同様に、図９の表の第１７行目に示すように、状態ｄのデジタルカメラ１において、動作モードが再生モード１７０である場合に、ユーザがモード切替ボタン３１を操作し、動作モードの切替を指示するとき、状態ｄのデジタルカメラ１では、撮影モードは設定されないので、エラー処理として、電源がオフされる。
【０１２７】
図１０は、デジタルカメラ１が、表示パネル部２２の状態ａ乃至ｄに応じて、動作モードを設定する表示パネル状態処理を説明するフローチャートである。この表示パネル状態処理は、例えば、表示パネル部２２の状態ａ乃至ｄの変化が検出されたとき、即ち状態検出部１０５（図４）からの状態信号が表す状態が変化したとき、開始される。
【０１２８】
ステップＳ１１において、判定部１４４（図５）は、状態検出部１０５からの状態信号に基づいて、表示パネル部２２が状態ａからｂ、または状態ｄからｃに変化したかどうかを判定する。具体的には、状態検出部１０５は、表示パネル部２２の状態ａ乃至ｄを検出し、その状態ａ乃至ｄを表す状態信号を判定部１４４に供給する。判定部１４４は、状態検出部１０５からの状態信号が表す状態ａ乃至ｄに基づいて、表示パネル部２２が状態ａからｂ、または状態ｄからｃに変化したかどうかを判定する。
【０１２９】
ステップＳ１１において、表示パネル部２２が状態ａからｂ、または状態ｄからｃに変化したと判定された場合、判定部１４４は、その判定結果を電源制御部１４１とモード設定部１４２に供給し、ステップＳ１２に進む。
【０１３０】
ステップＳ１２において、電源制御部１４１は、電源がオンであるかどうか、即ち、電源供給部１０４を制御して電源をオンにしているかどうかを判定し、電源がオンであると判定した場合、処理を終了する。即ち、表示パネル部２２が状態ａからｂ、または状態ｄからｃに変化した場合、電源がオンであるとき、電源はオンのままであり、動作モードは変更されない(図６の遷移Ａ４，Ａ２６)。例えば、電源がオンされており、遷移前の動作モードが撮影モード１６２（図６）である場合、表示パネル部２２が状態ａからｂに変化したとき、遷移Ａ４が行われ、遷移後の動作モードは、撮影モード１６４であり、撮影モードのままである。
【０１３１】
一方、ステップＳ１２において、電源がオンではない、即ち電源がオフであると判定された場合、ステップＳ１３に進み、電源制御部１４１は、電源供給部１０４を制御して、電源をオンにし、ステップＳ１４に進む。
【０１３２】
ステップＳ１４において、モード設定部１４２は、動作モードを撮影モード１６２または１６７に設定し、処理を終了する。即ち、状態ａからｂ、または状態ｄからｃに変化した場合、電源がオフであるとき、電源がオンにされ、動作モードが撮影モード１６２または１６７に設定される（図６の遷移Ａ２，Ａ２４）。
【０１３３】
また、ステップＳ１１において、表示パネル部２２が状態ａからｂ、または状態ｄからｃに変化していないと判定された場合、ステップＳ１５に進み、判定部１４４は、表示パネル部２２が状態ｂからａに変化したかどうかを判定する。ステップＳ１５において、表示パネル部２２が状態ｂからａに変化したと判定された場合、判定部１４４は、その判定結果を電源制御部１４１に供給し、ステップＳ１６に進む。
【０１３４】
ステップＳ１６において、電源制御部１４１は、電源供給部１０４を制御し、電源をオフにして、処理を終了する。即ち、状態ｂからａに変化した場合、電源がオフされる（図６の遷移Ａ７，Ａ１２，Ｂ５）。
【０１３５】
また、ステップＳ１５において、表示パネル部２２が状態ｂからａに変化していないと判定された場合、ステップＳ１７に進み、判定部１４４は、表示パネル部２２が状態ｃからｄに変化したかどうかを判定する。ステップＳ１７において、表示パネル部２２が状態ｃからｄに変化したと判定された場合、判定部１４４は、その判定結果を電源制御部１４１とモード設定部１４２に供給し、ステップＳ１８に進む。
【０１３６】
ステップＳ１８において、電源制御部１４１は、電源がオンであるかどうかを判定し、電源がオンではない、即ち電源がオフであると判定した場合、処理を終了する。即ち、表示パネル部２２が状態ｃからｄに変化した場合、電源がオフであるとき、電源はオフのままである。
【０１３７】
一方、ステップＳ１８において、電源がオンであると判定された場合、電源制御部１４１は、電源のオンを表す電源状態信号をモード設定部１４２に供給し、ステップＳ１９に進む。ステップＳ１９において、モード設定部１４２は、動作モードが撮影モード１６７（図６）であるかどうかを判定する。ステップＳ１９において、動作モードが撮影モード１６７であると判定された場合、モード設定部１４２は、撮影モード１６７を表すモード信号を電源制御部１４１に供給し、ステップＳ１６に進む。即ち、表示パネル部２２が状態ｃからｄに変化した場合、電源がオンされており、動作モードが撮影モード１６７であるとき、電源がオフされる（図６の遷移Ａ１７）。
【０１３８】
また、ステップＳ１９において、動作モードが撮影モード１６７ではないと判定された場合、即ち動作モードが再生モード１６８またはUSBモード１９５である場合、モード設定部１４２は、処理を終了する。即ち、表示パネル部２２が状態ｃからｄに変化した場合、電源がオンされており、動作モードが再生モード１６８またはUSBモード１９５であるとき、電源はオンのままであり、動作モードは変更されない（図６の遷移Ａ２２）。
【０１３９】
ステップＳ１７において、表示パネル部２２が状態ｃからｄに変化していないと判定された場合、処理は終了される。即ち、表示パネル部２２が状態ｂからｃ、またはｃからｂに変化した場合、電源の状態(オンまたはオフ)と動作モードは変更されない（図６の遷移Ａ８，Ａ１３、Ａ１６，Ａ２１）。
【０１４０】
図１１は、デジタルカメラ１が、ユーザによる電源ボタン３１の操作に応じて、動作モードを設定する電源ボタン処理を説明するフローチャートである。この電源ボタン処理は、例えば、判定部１４４から、外部操作入力部１０６から電源ボタン３１の操作を表す操作信号が供給されたという判定結果が、電源制御部１４１とモード設定部１４２に供給されたとき、開始される。
【０１４１】
ステップＳ３１において、電源制御部１４１は、電源がオフであるかどうかを判定し、電源がオフであると判定した場合、ステップＳ３２に進む。ステップＳ３２において、電源制御部１４１は、電源供給部１０４を制御し、電源をオンにして、ステップＳ３３に進む。
【０１４２】
ステップＳ３３において、判定部１４４は、状態検出部１０５から状態信号に基づいて、表示パネル部２２が状態ｄであるかどうかを判定し、表示パネル部２２が状態ｄであると判定した場合、その判定結果をモード設定部１４２に供給し、ステップＳ３４に進む。
【０１４３】
ステップＳ３４において、モード設定部１４２は、動作モードを再生モード１７０（図６）に設定し、処理を終了する。即ち、電源ボタン３１が操作された場合、電源がオフであり、表示パネル部２２が状態ｄであるとき、電源がオンされ、動作モードが再生モード１７０に設定される(図６の遷移Ａ２３)。
【０１４４】
一方、ステップＳ３３において、表示パネル部２２が状態ｄではない、即ち表示パネル部２２が状態ａ乃至ｃであると判定された場合、モード設定部１４２は、動作モードを撮影モード１６２，１６４、または１６７に設定し、処理を終了する。即ち、電源ボタン３１が操作された場合、電源がオフであり、表示パネル部２２が状態ａ乃至ｃであるとき、電源がオンされ、動作モードが撮影モード１６２，１６４、または１６７に設定される（図６の遷移Ａ１，Ａ５，Ａ１４）。
【０１４５】
また、ステップＳ３１において、電源がオフではない、即ち電源がオンであると判定された場合、ステップＳ３６に進み、電源制御部１４１は、電源供給部１０４を制御し、電源をオフにして、処理を終了する。即ち、電源ボタン３１が操作された場合、電源がオンであるとき、電源がオフされる（図６の遷移Ａ３，Ａ６，Ａ１１，Ａ１５，Ａ２０，Ａ２５）。
【０１４６】
図１２は、デジタルカメラ１が、ユーザによるモード切替ボタン３２の操作に応じて、動作モードを設定するモード切替ボタン処理を説明するフローチャートである。このモード切替ボタン処理は、例えば、電源がオンされている場合、判定部１４４から、外部操作入力部１０６からモード切替ボタン３２の操作を表す操作信号が供給されたという判定結果がモード設定部１４２に供給されたとき、開始される。
【０１４７】
ステップＳ５１において、モード設定部１４２は、動作モードがUSBモード１９５（図５）であるかどうかを判定し、USBモード１９５であると判定した場合、処理を終了する。即ち、モード切替ボタン３２が操作された場合、動作モードがUSBモード１９５であるとき、モード切替ボタン３２の操作は無効となる。
【０１４８】
一方、ステップＳ５１において、動作モードがUSBモード１９５ではないと判定された場合、ステップＳ５２に進み、判定部１４４は、状態検出部１０５からの状態信号に基づいて、表示パネル部２２が状態ａまたはｄであるかどうかを判定する。
【０１４９】
ステップＳ５２において、表示パネル部２２が状態ａまたはｄであると判定された場合、判定部１４４は、その判定結果を電源制御部１４１に供給し、ステップＳ５３に進む。そして、電源制御部１４１は、電源供給部１０４を制御して、電源をオフにし、処理を終了する。ここで、上述したように、表示パネル部２２が状態ａである場合には、再生モードは設定されず、表示パネル部２２が状態ｄである場合には、撮影モードは設定されない。従って、モード切替ボタン３２が操作された場合、表示パネル部２２が状態ａまたはｄであるとき、動作モードは切り替えられず、エラー処理として、電源がオフされる。
【０１５０】
また、ステップＳ５２において、表示パネル部２２が状態ａまたはｄではない、即ち表示パネル部２２が状態ｂまたはｃであると判定された場合、判定部１４４は、その判定結果をモード設定部１４２に供給し、ステップＳ５４に進む。そして、モード設定部１４２は、動作モードが撮影モード１６４（図６）または１６７であるかどうかを判定する。ステップＳ５４において、動作モードが撮影モード１６４または１６７であると判定された場合、ステップＳ５５に進み、モード設定部１４２は、動作モードを再生モード１６５または１６８に設定し、処理を終了する。即ち、モード切替ボタン３２が操作された場合、動作モードが撮影モード１６４または１６７であるとき、動作モードを撮影モード１６４または１６７から、再生モード１６５または１６８に変更する（図６の遷移Ａ９，Ａ１８）。
【０１５１】
一方、ステップＳ５４において、動作モードが撮影モード１６４または１６７ではない、即ち、再生モード１６５または１６８であると判定された場合、ステップＳ５６に進み、モード設定部１４２は、動作モードを撮影モード１６４または１６７に設定し、処理を終了する。即ち、モード切替ボタン３２が操作された場合、動作モードが再生モード１６５または１６８であるとき、動作モードを再生モード１６５または１６８から、撮影モード１６４または１６７に変更する（図６の遷移Ａ１０，Ａ１９）。
【０１５２】
図１３は、デジタルカメラ１が、ユーザによる操作ボタン４１ａ乃至４１ｃの操作に応じて行う操作ボタン処理を説明するフローチャートである。この操作ボタン処理は、例えば、電源がオンされている場合に、外部操作入力部１０６からの操作ボタン４１ａ乃至４１ｃの操作を表す操作信号と、モード設定部１４２からの設定されている動作モードを表すモード信号とが、操作処理部１４３に供給されたとき、開始される。
【０１５３】
ステップＳ７１において、操作処理部１４３は、モード設定部１４２からのモード信号が撮影モード１６２，１６４、または１６７（図６）を表しているかどうか、即ち動作モードが撮影モード１６２（１６４，１６７）であるかどうかを判定する。ステップＳ７１において、動作モードが撮影モード１６２（１６４，１６７）であると判定された場合、操作処理部１４３は、被写体の撮影を開始し、ステップＳ７２に進む。ステップＳ７２において、操作処理部１４３は、外部操作入力部１０６からの操作信号が操作ボタン４１ｂの操作を表しているかどうか、即ち操作ボタン４１ｂが操作されたかどうかを判定する。
【０１５４】
ステップＳ７２において、操作ボタン４１ｂが操作されたと判定された場合、処理を終了する。
【０１５５】
また、ステップＳ７２において、操作ボタン４１ｂが操作されていないと判定された場合、ステップＳ７３に進み、操作処理部１４３は、操作ボタン４１ａが操作されたかどうかを判定する。
【０１５６】
ステップＳ７３において、操作ボタン４１ａが操作されたと判定された場合、ステップＳ７４に進み、操作処理部１４３は、ユーザからの操作に対応する処理として、被写体の静止画像を記録する。
【０１５７】
具体的には、ユーザは、動作モードが撮影モード１６２（１６４，１６７）である場合、撮影された結果、表示パネル４２に表示されている画像を見ながら、所望のタイミングで操作ボタン４１ａを操作し、静止画像の撮影（記録）を指示する。そして、ユーザにより操作ボタン４１ａが操作された場合、操作処理部１４３は、外部操作入力部１０６からの操作ボタン４１ａの操作を表す操作信号に応じて、いま撮影されている画像を、１フレーム単位で、静止画像として、記憶部１０７またはメモリカード１１２に記録させる。
【０１５８】
一方、ステップＳ７３において、操作ボタン４１ａが操作されていないと判定された場合、即ち操作ボタン４１ｃが操作された場合、ステップＳ７５に進み、操作処理部１４３は、ユーザからの操作に対応する処理として、被写体の動画像を記録する。
【０１５９】
具体的には、ユーザは、表示パネル４２に表示されている画像を見ながら、所望のタイミングで操作ボタン４１ｃを操作し、動画像の記録を指示する。操作処理部１４３は、外部操作入力部１０６からの操作ボタン４１ｃの操作を表す操作信号に応じて、いまから所定の時間内に撮影される画像、即ち所定のフレーム数の画像を、動画像として記憶部１０７またはメモリカード１１２に記録させる。
【０１６０】
なお、ユーザにより操作ボタン４１ｃが操作された場合、操作処理部１４３は、所定の時間内に撮影される画像を、動画像として記録するのではなく、ユーザにより操作ボタン４１ｃが操作された場合、動画像の記録を開始し、再度操作ボタン４１ｃが操作された場合、動画像の記録を停止するようにしてもよい。
【０１６１】
また、ステップＳ７１において、動作モードが撮影モード１６２（１６４，１６７）ではないと判定された場合、即ち動作モードが再生モード１６５，１６８、または１７０（図６）である場合、操作処理部１４３は、記憶部１０７またはメモリカード１１２から、所定の画像を再生し、表示パネル４２に表示させて、ステップＳ７６に進む。ここで、再生対象の画像が静止画像である場合、操作処理部１４３は、その静止画像をそのまま再生して、表示パネル４２に表示させ、再生対象の画像が動画像である場合、その動画像の先頭のフレームの画像のみを再生し、表示パネル４２に表示させる。
【０１６２】
ステップＳ７６において、操作処理部１４３は、操作ボタン４１ａが操作されたかどうかを判定し、操作ボタン４１ａが操作されたと判定した場合、ステップＳ７７に進む。ステップＳ７７において、操作処理部１４３は、ユーザからの操作に対応する処理として、表示パネル４２に表示させる再生画像を、次の再生画像に変更する（ファイル送りする）処理を行う。
【０１６３】
具体的には、ユーザは、動作モードが再生モード１６５（１６８，１７０）である場合、ファイル送りを指示するとき、即ち、いま表示されている再生画像の次の再生画像の表示パネル４２への表示を指示するとき、操作ボタン４１ａを操作する。そして、操作処理部１４３は、外部操作入力部１０６からの操作ボタン４１ａの操作を表す操作信号に応じて、いま表示パネル４２に表示されている再生画像に対応する圧縮画像データの次のフレームの圧縮画像データを、記憶部１０７またはメモリカード１１２から再生して、DSP８６に供給し、伸張させる。そして、操作処理部１４３は、表示制御部１０８を制御して、伸張後の再生画像データに対応する再生画像を、表示パネル４２に表示させる。
【０１６４】
一方、ステップＳ７６において、操作ボタン４１ａが操作されていないと判定された場合、ステップＳ７８に進み、操作ボタン４１ｂが操作されたかどうかを判定する。ステップＳ７８において、操作ボタン４１ｂが操作されたと判定された場合、ステップＳ７９に進み、操作処理部１４３は、いま表示パネル４２に表示されている再生画像が動画像（の先頭のフレームの画像）であるかどうかを判定する。
【０１６５】
ステップＳ７９において、いま表示パネル４２に表示されている再生画像が動画像であると判定された場合、ステップＳ８０に進み、ユーザからの操作に対応する処理として、表示パネル４２に表示されている動画像を、その動画像の先頭のフレームから順に再生し、表示パネル４２に表示する処理を行う。
【０１６６】
具体的には、ユーザは、動作モードが再生モード１６５（１６８，１７０）である場合、動画像を先頭から再生して、表示パネル４２に表示させることを指示するとき、操作ボタン４１ｂを操作する。そして、操作処理部１４３は、外部操作入力部１０６からの操作ボタン４１ｂの操作を表す操作信号に応じて、いま表示パネル４２に表示されている動画像に対応する圧縮画像データを、先頭のフレームから順に、記憶部１０７またはメモリカード１１２から再生し、表示パネル４２に表示させる。
【０１６７】
一方、ステップＳ７９において、いま表示パネル４２に表示されている再生画像が動画像ではないと判定された場合、即ち再生画像が静止画像である場合、処理を終了する。
【０１６８】
また、ステップＳ７８において、操作ボタン４１ｂが操作されていないと判定された場合、即ち操作ボタン４１ｃが操作された場合、ステップＳ８１に進み、操作処理部１４３は、ユーザからの操作に対応する処理として、表示パネル４２に表示させる再生画像を、直前の再生画像に変更する（ファイル戻しする）処理を行う。
【０１６９】
具体的には、ユーザは、動作モードが再生モード１６５（１６８，１７０）である場合、ファイル戻しを指示するとき、即ち、いま表示されている再生画像の直前の再生画像の表示パネル４２への表示を指示するとき、操作ボタン４１ｃを操作する。そして、操作処理部１４３は、外部操作入力部１０６からの操作ボタン４１ｃの操作を表す操作信号に応じて、記憶部１０７またはメモリカード１１２から、いま表示パネル４２に表示されている再生画像に対応する圧縮画像データの直前のフレームの圧縮画像データを再生する。そして、操作処理部１４３は、表示制御部１０８を制御して、再生された結果得られる再生画像データに対応する再生画像を、表示パネル４２に表示させる。
【０１７０】
以上のように、操作処理部１４３は、ユーザにより同一の操作ボタン４１ａと４１ｃが操作される場合であっても、動作モードに応じて、その操作に対応する処理を変更する。換言すれば、操作ボタン４１ａと４１ｃにおいて、複数の異なる機能が対応付けられている。これにより、１つの操作ボタンに１つの機能が対応付けられる場合に比べて、操作ボタンの数を低減することができる。その結果、デジタルカメラ１の操作ボタンが配置されるスペースが小さくて済み、デジタルカメラ１を小型化することができる。
【０１７１】
次に、図１４を参照して、図４の状態検出部１０５における表示パネル部２２の状態ａ乃至ｄの検出について説明する。
【０１７２】
図１４では、図１のデジタルカメ１の取り付け部２１の内部が透視されている。
【０１７３】
取り付け部２１の内部には、カム２０１と２０２が設けられている。カム２０１の中心には、軸２１１が設けられている。軸２１１の中心が軸Ｃに対応しており、表示パネル部２２は、軸２１１を中心として、Ｄ方向に回転可能に支持されている。また、カム２０１には、センサ２２１が接続されている。センサ２２１は、例えば、カム２０１の軸２１１の回転角度に応じて、表示パネル部２２の回転の状態を検出する。例えば、センサ２１１は、表示パネル部２２の状態が状態ａ（図３Ａ）またはｂ(図３Ｂ)であるときの軸２１１の回転角度を０度として、軸２１１の回転角度が１８０度であるとき、表示パネル部２２の状態として、状態ｃまたはｄを検出する。即ち、センサ２１１は、表示パネル部２２の回転の状態が、表示パネル４２がＦ方向から見ることができる状態であることを検出する。  
【０１７４】
カム２０２の中心には、カム２０１と同様に、軸２１２が設けられている。表示パネル部２２は、軸２１２を中心として、本体部１１に対して、Ａ方向とＢ方向に開閉可能に支持されている。また、カム２０２には、カム２０１と同様に、センサ２２２が接続されている。センサ２２２は、例えば、カム２０２の軸２１２の回転角度に応じて、表示パネル部２２の開閉の状態を検出する。例えば、センサ２２２は、表示パネル部２２の状態が状態ａ(図３Ａ)またはｄ(図３Ｄ)であるときの軸２１２の回転角度を０度として、軸２１２の回転角度が９０度であるとき、表示パネル部２２の状態として、状態ｂまたはｃを検出する。即ち、センサ２２２は、表示パネル部２２が開いた状態であることを検出する。
【０１７５】
図４の状態検出部１０５は、センサ２２１と２２２により検出された検出結果に基づいて、表示パネル部２２の状態ａ乃至ｄを判定（検出）し、その状態を表す状態信号をCPU１０１に供給する。
【０１７６】
例えば、表示パネル部２２の状態として、センサ２２１から状態ｃまたはｄが検出され、センサ２２２から状態ｂまたはｃが検出された場合、状態検出部１０５は、センサ２２１と２２２の両方から検出された状態ｃを、表示パネル部２２の状態として検出し、その状態を表す状態信号をCPU１０１に供給する。即ち、センサ２２１から状態ｃまたはｄが検出された場合、表示パネル部２２の状態は、表示パネル４２がＦ方向から見ることができる状態であり、センサ２２２から状態ｂまたは状態ｃが検出された場合、表示パネル部２２の状態は、開いた状態である。つまり、表示パネル部２２の状態は、表示パネル４２がＦ方向から見えることができる状態であり、かつ開いた状態である状態ｃである。
【０１７７】
なお、カム２０１と２０２の位置は、図１４で示した位置に限定されない。即ち、表示パネル部２２が、カム２０１の軸２１１を中心として、Ｄ方向に回転可能であり、表示部２２が、カム２０２の軸２１２を中心として、本体部１１に対して、Ａ方向とＢ方向に開閉可能であれば、カム２０１と２０２の位置は、どのような位置であってもよい。
【０１７８】
また、デジタルカメラ１の動作モードの遷移は、図６乃至図９で説明したものに限定されない。例えば、ユーザが操作ボタン３５または４１を操作することにより、表示パネル部２２の状態または遷移前の動作モードに対応して、遷移後の動作モードや電源のオンまたはオフを表す設定値を設定し、その設定値に基づいて、動作モードを遷移させることもできる。この場合、状態信号または操作信号の他に、ユーザにより設定された設定値に基づいて、電源制御部１４１は、電源のオンまたはオフを制御し、モード設定部１４２は、動作モードを設定する。具体的には、電源制御部１４１は、電源供給部１０４を制御し、電源を、表示パネル部２２の状態または遷移前の動作モードに対応する設定値が表す電源オンまたはオフにする。また、モード設定部１４２は、デジタルカメラ１の遷移後の動作モードを、表示パネル部２２の状態または遷移前の動作モードに対応する設定値が表す遷移後の動作モードに設定する。
【０１７９】
また、操作ボタン４１ａ乃至４１ｃに対応付けられる機能は、図１３で説明したものに限定されない。例えば、ユーザが操作ボタン３５または４１を操作することにより、各動作モードに対応して、操作ボタン４１ａ乃至４１ｃの操作に対応する機能（処理）を表す設定値を設定し、その設定値に基づいて、機能を変化させることもできる。この場合、操作処理部１４３は、モード信号および操作信号の他に、ユーザにより設定された設定値に基づいて、操作信号が表す操作ボタン４１ａ乃至４１ｃの操作に対応する処理を変更する。具体的には、操作処理部１４３は、操作信号が表す操作ボタン４１ａ乃至４１ｃの操作に対応する処理を、その操作ボタン４１ａ乃至４１ｃと動作モードに対応する設定値が表す機能（処理）に変更する。
【０１８０】
さらに、上述した説明では、表示パネル部２２が状態ａである場合、再生モードは設定されないようにしたが、設定されるようにすることもできる。この場合、表示パネル４２が収納されているので、動作モードが再生モードであっても、ユーザは、表示パネル４２に表示される再生画像を見ることはできない。
【０１８１】
また、表示パネル部２２が状態ｄである場合、撮影モードは設定されないようにしたが、設定されるようにすることもできる。この場合、表示パネル４２に表示される画像を、撮影される画像の向きに合わせる必要がある。
【０１８２】
以上のように、デジタルカメラ１では、状態検出部１０５が、表示パネル部２２の開閉または回転の状態ａ乃至ｄを検出し、その検出された状態ａ乃至ｄに応じて、電源オン時のデジタルカメラ１の動作モードを設定するようにしたので、電源オン時の動作モードを、最適な動作モードに設定することができる。
【０１８３】
なお、本発明は、デジタルカメラに限らず、携帯電話、PDA（Personal Digital Assistance）、その他の任意の情報処理装置に適用することができる。
【０１８４】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１８５】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【図面の簡単な説明】
【０１８６】
【図１】本発明を適用したデジタルカメラの外観構成例を示す斜視図である。
【図２】図１のデジタルカメラを図１中Ｅ方向から見た斜視図である。
【図３】デジタルカメラの各種の状態を示している。
【図４】デジタルカメラの内部の構成例を示すブロック図である。
【図５】図４のCPUの詳細構成例を示すブロック図である。
【図６】デジタルカメラの動作モードの遷移を説明する図である。
【図７】デジタルカメラの動作モードの遷移を説明する図である。
【図８】デジタルカメラの動作モードの遷移を説明する図である。
【図９】デジタルカメラの動作モードの遷移を説明する図である。
【図１０】デジタルカメラが、表示パネル部の状態ａ乃至ｄに応じて、動作モードを設定する表示パネル状態処理を説明するフローチャートである。
【図１１】デジタルカメラが、ユーザによる電源ボタンの操作に応じて、動作モードを設定する電源ボタン処理を説明するフローチャートである。
【図１２】デジタルカメラが、ユーザによるモード切替ボタンの操作に応じて、動作モードを設定するモード切替ボタン処理を説明するフローチャートである。
【図１３】デジタルカメラが、ユーザによる操作ボタンの操作に応じて行う操作ボタン処理を説明するフローチャートである。
【図１４】図４の状態検出部における表示パネル部の状態ａ乃至ｄの検出について説明する図である。
【符号の説明】
【０１８７】
１  デジタルカメラ，  １１  本体部，  １２  表示部，  ２１  取り付け部，  ２２  表示パネル部，  ３１  電源ボタン，  ３２  モード切替ボタン，  ３５  操作部，  ４１  操作部，  ４２  表示パネル，  １０１  CPU，  １０２  ROM,  １０３  RAM,  １０４  電源供給部，  １０５  状態検出部，  １１４  リムーバブル記録媒体，  １４１  電源制御部，  １４２  モード設定部，  １４３  操作処理部，  １４４  判定部
【図１】
2006080779.tif 000003
【図２】
2006080779.tif 000004
【図３】
2006080779.tif 000005
【図４】
2006080779.tif 000006
【図５】
2006080779.tif 000007
【図６】
2006080779.tif 000008
【図７】
2006080779.tif 000009
【図８】
2006080779.tif 000010
【図９】
2006080779.tif 000011
【図１０】
2006080779.tif 000012
【図１１】
2006080779.tif 000013
【図１２】
2006080779.tif 000014
【図１３】
2006080779.tif 000015
【図１４】
2006080779.tif 000016